(57)【要約】【課題】チューブの向きを容易に微調整することのできる固定装置を提供する。【解決手段】  固定装置５０は、Ｘ方向に延在するアーム部５１と、チューブ３０を固定する固定部６０と、アーム部５１および固定部６０の間に設けられ、Ｘ方向の軸回りに固定部６０を回動させる回動部７０と、を有する。【選択図】図５
2019205627.tif 000002
【特許請求の範囲】
【請求項１】
医療機器用のチューブを固定する固定装置であって、
長軸方向に延在するアーム部と、
前記チューブを固定する固定部と、
前記アーム部および前記固定部の間に設けられ、前記長軸方向の軸回りに前記固定部を回動させる回動部と、を有する固定装置。
【請求項２】
前記回動部は、
前記固定部を挟持可能な挟持部と、
前記挟持部によって挟持されるホース受け回転部と、
前記ホース受け回転部および前記アーム部の間に設けられ、前記ホース受け回転部と同期して回転するホース受け回転受けと、
前記ホース受け回転受けおよび前記アーム部の間に設けられ、前記ホース受け回転受けに弾性力を付与し、前記アーム部の長軸方向に挿通孔を備えた金属板と、
前記金属板および前記ホース受け回転受けの間に設けられ、前記ホース受け回転受けが回転する際の摩擦力を低減し、前記アーム部の長軸方向に挿通孔を備えた第１の板状部材と、
前記ホース受け回転受けおよび前記ホース受け回転部の間に設けられ、前記ホース受け回転受けが回転する際の摩擦力を低減し、前記アーム部の長軸方向に挿通孔を備えた第２の板状部材と、を有する、請求項１に記載の固定装置。
【請求項３】
前記固定部は、球状に構成された突起部を有し、
前記挟持部は、前記突起部を挟持する、請求項２に記載の固定装置。
【請求項４】
前記固定部は、前記チューブが載置される載置部を備える、請求項１〜３のいずれか１項に記載の固定装置。
【請求項５】
前記載置部は、互いに大きさの異なる２つの前記チューブを載置するように２段構成となっている、請求項４に記載の固定装置。
【請求項６】
前記載置部の内方には、径方向の内方に向けて突出して設けられる滑り止め部が形成されている、請求項４または５に記載の固定装置。
【請求項７】
前記載置部は、幅方向に２つ設けられる、請求項４〜６のいずれか１項に記載の固定装置。
【請求項８】
前記固定部は、前記チューブ内の空気または酸素の流量を測定するフローセンサ用チューブを配置する配置部をさらに有する、請求項１〜７のいずれか１項に記載の固定装置。
【請求項９】
人工呼吸器用の前記チューブを固定する、請求項１〜８のいずれか１項に記載の固定装置。
【請求項１０】
請求項１〜９のいずれか１項に記載の固定装置と、
人工呼吸器本体と、を有する、人工呼吸器。
【発明の詳細な説明】
【技術分野】
【０００１】
本発明は、固定装置および人工呼吸器に関する。
【背景技術】
【０００２】
人工呼吸器は、自発呼吸が困難な患者に装着されて、呼吸の補助が行われる。人工呼吸器および患者に装着されたマスクの間は、チューブによって連結されている。一般的に、このチューブは、固定装置（保持具）によって固定されている。
【０００３】
これに関連して、下記の特許文献１には、金属製のばね材によってチューブを保持する、人工呼吸器用ホース保持具が開示されている。この人工呼吸器用ホース保持具によれば、ばね材の弾性力によって、チューブ（ホース）を好適に保持することができる。
【先行技術文献】
【特許文献】
【０００４】
【特許文献１】実用新案登録第３２０４７４３号
【発明の概要】
【発明が解決しようとする課題】
【０００５】
人工呼吸器用のチューブでは、チューブを所定のおよその位置まで移動させた後に、最終的にチューブの向きを微調整することが求められている。ここで、特許文献１に記載の保持具において、例えばチューブを曲げることによってチューブの向きを微調整することができるが、意図せずチューブに傷がついてしまう虞がある。
【０００６】
本発明は、チューブに傷がついてしまうことを防止しつつ、チューブの向きを微調整することのできる、固定装置および人工呼吸器を提供することを目的とする。
【課題を解決するための手段】
【０００７】
本発明の一態様に係る固定装置は、医療機器用のチューブを固定する固定装置である。固定装置は、長軸方向に延在するアーム部と、前記チューブを固定する固定部と、前記アーム部および前記固定部の間に設けられ、前記長軸方向の軸回りに前記固定部を回動させる回動部と、を有する。
【０００８】
また、本発明の一態様に係る人工呼吸器は、上述の固定装置と、人工呼吸器本体と、を有する。
【発明の効果】
【０００９】
上述の固定装置および人工呼吸器によれば、長軸方向の軸回りに固定部を回動させる回動部を有するため、容易にチューブの向きを微調整することができる。また、固定部がチューブを固定した状態で、固定部を回動させるため、チューブに傷がついてしまうことを防止できる。以上から、チューブに傷がついてしまうことを防止しつつ、チューブの向きを微調整することのできる、固定装置および人工呼吸器を提供することができる。
【図面の簡単な説明】
【００１０】
【図１】本実施形態に係る人工呼吸器を示す概略図である。
【図２】チューブ、接続部、および接続パイプの構成を示す概略図である。
【図３】アーム部、回動部、および固定部を示す斜視図である。
【図４】アーム部、回動部、および固定部を示す分解斜視図である。
【図５】本実施形態に係る固定部を示す斜視図である。
【図６】回動部を示す分解斜視図である。
【図７】変形例に係る固定部を示す斜視図である。
【発明を実施するための形態】
【００１１】
本発明の実施形態を、図面を参照しつつ説明する。なお、図面の説明において同一の要素には同一の符号を付し、重複する説明を省略する。図面の寸法比率は、説明の都合上誇張されており、実際の比率とは異なる場合がある。
【００１２】
図１は、本実施形態に係る人工呼吸器１を示す概略図である。図２は、チューブ３０、接続部４０、および接続パイプＰ１の構成を示す概略図である。図３は、アーム部５１、回動部７０、および固定部６０を示す斜視図である。図４は、アーム部５１、回動部７０、および固定部６０を示す分解斜視図である。図５は、本実施形態に係る固定部６０を示す斜視図である。図６は、回動部７０を示す分解斜視図である。
【００１３】
人工呼吸器１は、図１、図２に示すように、人工呼吸器本体１０と、加温加湿器２０と、チューブ３０と、接続部４０と、固定装置５０と、を有する。
【００１４】
人工呼吸器本体１０は、酸素または空気を出力する。人工呼吸器本体１０は、フローセンサ、呼気弁、吸気弁、安全弁、酸素濃度計、送気機構、ブレンダ、電源コード等から構成される。人工呼吸器本体１０は、一般的な構成であるため、詳細な説明は省略する。
【００１５】
加温加湿器２０は、人工呼吸器本体１０から出力される酸素または空気に加湿した水分を接触させて、酸素または空気を加温加湿する。加温加湿器２０は、接続チューブＴ１を介して、人工呼吸器本体１０と接続されている。
【００１６】
チューブ３０は、加温加湿器２０と接続されている。チューブ３０は、蛇腹状に構成されたホースである。チューブ３０の内部は、加温加湿器２０において加温加湿された酸素または空気が流通する。
【００１７】
チューブ３０の先端は、図２に示すように、接続パイプＰ１を介して、接続部４０が接続されている。
【００１８】
接続パイプＰ１は、チューブ３０に接続されている。接続パイプＰ１のチューブ３０に対する接続方法は、特に限定されないが、例えば嵌合による接続である。接続パイプＰ１には、患者Ｐが吐いた息を外部に排出するための排出孔９５が設けられている。
【００１９】
接続部４０は、図２に示すように、接続パイプＰ１に接続されている。接続部４０の接続パイプＰ１に接続される側と反対側は、患者Ｐに装着されるマスク（不図示）に接続される。接続部４０の接続パイプＰ１およびマスクに対する接続方法は、特に限定されないが、例えば嵌合による接続である。
【００２０】
接続部４０には、フローセンサ用チューブＴ２が接続されており、マスクに流入する酸素または空気の流量を測定することができる。
【００２１】
固定装置５０は、図１、図２に示すように、チューブ３０を把持固定して、適度なトルクをかけることによって、Ｘ方向周りのチューブ３０の回転方向を微調整する（図３参照）。
【００２２】
固定装置５０は、図３、図４に示すように、アーム部５１と、固定部６０と、回動部７０と、を有する。
【００２３】
アーム部５１は、図３に示すように、第１アーム部５５と、第２アーム部５６と、第３アーム部５７と、を有する。
【００２４】
第１アーム部５５は、図１に示すように、人工呼吸器本体１０に固定されている。第２アーム部５６は、第１アーム部５５に対して、自在に可動するように接続されている。第１アーム部５５および第２アーム部５６は、剛体として構成されている。
【００２５】
第３アーム部５７は、第２アーム部５６に対して、自在に可動するように接続されている。第３アーム部５７は、図３、図４に示すように、長軸方向（Ｘ方向）に延在して構成されている。第３アーム部５７は、図３に示すように、剛体として構成されたパイプ部５７Ａと、変形容易に構成されたフレキシブルアーム５７Ｂと、を有する。このように第３アーム部５７は、フレキシブルアーム５７Ｂを有するため、フレキシブルアーム５７Ｂによって、固定部６０の位置を調整することができる。したがって、固定部６０が固定するチューブ３０の位置を調整することができる。
【００２６】
固定部６０は、図１に示すように、チューブ３０を固定する。固定部６０は、図５に示すように、球状に構成された突起部６１と、チューブ３０が載置される載置部６２と、突起部６１および載置部６２を連結する連結部６３と、を有する。
【００２７】
突起部６１は、図３、図４に示すように、後述する回動部７０の挟持部７９に挟持される。
【００２８】
載置部６２は、図５に示すように、略Ｕ字状に構成されており、弾性力によって、チューブ３０を載置することができる。載置部６２は、互いに大きさの異なる２つのチューブ３０を載置できるように２段構成（符号６２Ａ、６２Ｂ）となっている。この構成によれば、互いにサイズの異なる大人用のチューブ３０または子供用のチューブ３０を載置することができる。
【００２９】
載置部６２の内方には、チューブ３０が滑ることを防止する滑り止め部６２Ｃが形成されている。滑り止め部６２Ｃは、径方向の内方に向けて突出して設けられる。滑り止め部６２Ｃの幅は、蛇腹状に構成されたチューブ３０の溝部に嵌合する程度の大きさである。
【００３０】
本実施形態において、載置部６２のうち符号６２Ａの個所にフローセンサ用チューブＴ２を配置するとともに、載置部６２のうち符号６２Ｂの個所にチューブ３０を配置することができる。
【００３１】
回動部７０は、図６に示すように、フレキシブルアーム５７Ｂ側から順に、コニカルワッシャー（金属板）７１と、第１コバンワッシャー７２と、第１ＰＯＭワッシャー（第１の板状部材）７３と、ホース受け回転受け７４と、第２ＰＯＭワッシャー（第２の板状部材）７５と、第２コバンワッシャー７６と、六角ナット７７と、ホース受け回転部７８と、挟持部７９と、調整部８０と、を有する。
【００３２】
コニカルワッシャー７１は、皿ばねである。コニカルワッシャー７１は、ばね特性を有し、ホース受け回転受け７４に適度な弾性力を付与し、適度な回転力を持たせる。コニカルワッシャー７１の凸部（左側）が、フレキシブルアーム５７Ｂ側となるように、フレキシブルアーム５７Ｂの雄ねじ５７Ｅに挿入される。
【００３３】
第１コバンワッシャー７２は、コニカルワッシャー７１の弾性力を、第１ＰＯＭワッシャー７３へ伝達する。また、第１コバンワッシャー７２は、コニカルワッシャー７１の回転を抑制するために配置される。ただし、第１ＰＯＭワッシャーに限らず、同様の機能を持たせるものであれば、例えば金属部材のものを用いても良い。
【００３４】
第１ＰＯＭワッシャー７３は、ホース受け回転受け７４が回転するときの摩擦力を低減するために設けられる。
【００３５】
ホース受け回転受け７４は、ホース受け回転部７８と同期して回転する。ホース受け回転受け７４の側面には、貫通孔７４ａが形成されている。ホース受け回転受け７４は、軸方向に沿って、中空形状を備えている。
【００３６】
第２ＰＯＭワッシャー７５は、ホース受け回転受け７４が回転するときの摩擦力を低減するために設けられる。
【００３７】
第２コバンワッシャー７６は、六角ナット７７の力から第２ＰＯＭワッシャー７５を保護する。
【００３８】
六角ナット７７は、フレキシブルアーム５７Ｂの雄ねじ５７Ｅに対して適度なトルクを持たせるように固定される。
【００３９】
ホース受け回転部７８は、ホース受け回転受け７４と同期して、回転する。ホース受け回転部７８の側面には、雌ねじ７８ａが形成されている。不図示のねじによって、ホース受け回転部７８およびホース受け回転受け７４をねじ締結して、ホース受け回転受け７４をホース受け回転部７８と連結する。
【００４０】
挟持部７９は、ホース受け回転部７８の凸部７８ｂおよび突起部６１を挟持可能に構成されている。調整部８０によって挟持部７９の幅を狭くすることによって、凸部７８ｂおよび突起部６１を把持状態となり、調整部８０によって挟持部７９の幅を広げることによって、把持解除状態となる。
【００４１】
このように構成された回動部７０によれば、六角ナット７７が、フレキシブルアーム５７Ｂの雄ねじ５７Ｅに対して適度なトルクを持たせるように固定されたことにより、意図せず固定部６０が回転することを防止しつつ、チューブ３０の向きを微調整することができる。
【００４２】
以上のように構成された固定装置５０を使用する際、まず、フレキシブルアーム５７Ｂの角度、突起部６１の回動部７０に対する角度、および固定部６０がチューブ３０を固定する位置を適宜調整して、チューブ３０を所定のおよその位置に配置する。その後、回動部７０に対して適度なトルクをかけることによって、Ｘ方向の軸回りに固定部６０を回転させて、チューブ３０の位置を微調整する。
【００４３】
以上説明したように、本実施形態に係る固定装置５０は、医療機器用のチューブ３０を固定する固定装置５０である。固定装置５０は、長軸方向（Ｘ方向）に延在するアーム部５１と、チューブ３０を固定する固定部６０と、アーム５１部および固定部６０の間に設けられ、長軸方向の軸回りに固定部６０を回動させる回動部７０と、を有する。このように構成された固定装置５０によれば、長軸方向の軸回りに固定部６０を回動させる回動部７０を有するため、容易にチューブ３０の向きを微調整することができる。また、固定部６０がチューブ３０を固定した状態で、固定部６０を回動させるため、チューブ３０に傷がついてしまうことを防止できる。以上から、チューブ３０に傷がついてしまうことを防止しつつ、チューブ３０の向きを微調整することのできる、固定装置５０を提供することができる。
【００４４】
また、回動部７０は、固定部６０を挟持可能な挟持部７９と、挟持部７９によって挟持されるホース受け回転部７８と、ホース受け回転部７８およびアーム部５１の間に設けられ、ホース受け回転部７８と同期して回転するホース受け回転受け７４と、ホース受け回転受け７４およびアーム部５１の間に設けられ、ホース受け回転受け７４に弾性力を付与し、アーム部５１の長軸方向に挿通孔を備えたコニカルワッシャー７１と、コニカルワッシャー７１およびホース受け回転受け７４の間に設けられ、ホース受け回転受け７４が回転する際の摩擦力を低減し、アーム部５１の長軸方向に挿通孔を備えた第１ＰＯＭワッシャー７３と、ホース受け回転受け７４およびホース受け回転部７８の間に設けられ、ホース受け回転受け７４が回転する際の摩擦力を低減し、アーム部５１の長軸方向に挿通孔を備えた第２ＰＯＭワッシャー７５と、を有する。このように構成された固定装置５０によれば、作業者が回動部７０に対して適度なトルクをかけることによって、固定部６０がＸ方向の軸回りに回転することになる。したがって、意図せず固定部６０が回転することを防止しつつ、チューブ３０の向きを微調整することができる。
【００４５】
また、固定部６０は、球状に構成された突起部６１を有し、挟持部７９は、突起部６１を挟持する。このように構成された固定装置５０によれば、固定部６０を任意の方向に稼働することができるため、固定部６０の回動部７０に対する位置調整が容易となる。
【００４６】
また、固定部６０は、チューブ３０を載置する載置部６２を備える。このように構成された固定装置５０によれば、固定部６０に対して好適にチューブ３０を載置することができる。
【００４７】
また、載置部６２は、互いに大きさの異なる２つのチューブ３０を載置するように２段構成となっている。このように構成された固定装置５０によれば、互いにサイズの異なる大人用のチューブ３０または子供用のチューブ３０を載置することができる。
【００４８】
また、載置部６２の内方には、径方向の内方に向けて突出して設けられる滑り止め部６２Ｃが形成されている。このように構成された固定装置５０によれば、チューブ３０が滑ることを好適に防止することができる。
【００４９】
また、固定装置５０は、人工呼吸器用のチューブ３０を固定する。このように構成された固定装置５０によれば、人工呼吸器１に好適に用いることができる。
【００５０】
また、以上説明したように、本実施形態に係る人工呼吸器１は、上述した固定装置５０と、人工呼吸器本体１０と、を有する。このように構成された人工呼吸器１によれば、チューブ３０に傷がついてしまうことを防止しつつ、チューブ３０の向きを微調整することができる。
【００５１】
なお、本発明は上述した実施形態に限定されるものではなく、特許請求の範囲内で種々改変することができる。
【００５２】
例えば、上述した実施形態では、固定部６０は、図５に示すように、幅方向（Ｙ方向）に１つの載置部６２を有した。しかしながら、図７に示すように、固定部１６０は、幅方向に２つの載置部１６２を有してもよい。この構成によれば、呼気回路および吸気回路の２本のチューブを備える人工呼吸器にも対応することができる。また、このとき、２つの載置部１６２のそれぞれに、滑り止め部１６２ａが形成されてもよい。さらに、固定部１６０は、フローセンサ用チューブＴ２を配置する配置部１６４を有してもよい。この構成によれば、フローセンサ用チューブＴ２を好適にまとめることができ、フローセンサ用チューブＴ２が作業を妨害することを防止できる。
【００５３】
また、上述した実施形態では、載置部６２は、図５に示すように互いに大きさの異なる２つのチューブ３０を載置するように２段構成（符号６２Ａ、６２Ｂ）となっていた。しかしながら、載置部は１つのチューブを載置するように１段構成となっていてもよい。
【００５４】
また、上述した実施形態では、載置部６２の内方には、径方向の内方に向けて突出して設けられる滑り止め部６２Ｃが形成されていた。しかしながら、載置部の内方には、滑り止め部が形成されていなくてもよい。
【符号の説明】
【００５５】
１      人工呼吸器、
１０    人工呼吸器本体、
３０    チューブ、
５０    固定装置、
５１    アーム部、
５７Ｅ    雄ねじ、
６０、１６０    固定部、
６１    突起部、
６２    載置部、
６２Ｃ、１６２ａ  滑り止め部、
１６４    配置部、
７０    回動部、
７１    コニカルワッシャー（金属板）、
７２    第１コバンワッシャー、
７３    第１ＰＯＭワッシャー（第１の板状部材）、
７４    ホース受け回転受け、
７５    第２ＰＯＭワッシャー（第２の板状部材）、
７６    第２コバンワッシャー、
７７    六角ナット、
７８    ホース受け回転部、
７９    挟持部、
８０    調整部、
Ｔ２    フローセンサ用チューブ。
【図１】
2019205627.tif 000003
【図２】
2019205627.tif 000004
【図３】
2019205627.tif 000005
【図４】
2019205627.tif 000006
【図５】
2019205627.tif 000007
【図６】
2019205627.tif 000008
【図７】
2019205627.tif 000009